(57)【特許請求の範囲】
【請求項１】
第１および第２アドレッシングゾーン（Ｚ１，Ｚ２）を有するデジタル遠距離通信ネットワークにおけるアドレッシングの方法であって、
インターフェース（ＩＮＴ）が、第１アドレッシングゾーンと第２アドレッシングゾーンとの間におけるアドレス変換に対する要求を満たし、
前記方法は、
−  第１アドレッシングゾーン（Ｚ１）内に置かれた名前およびアドレスサーバー（ＤＮＳ１）が、目的地機械（２０）の名前（Ｎ）に関するアドレスを提供するためのリクエスト（ＲＥＱ１）を受信するステップ
を具備し、
リクエスト（ＲＥＱ１）は、情報源機械（１０）へ割り当てられた第１ゾーンの第１アドレス（ＡＤ１，１）から生じ、
前記方法は、
−  もし、目的地機械（２０）が第２アドレッシングゾーン（Ｚ２）内に置かれているならば、名前およびアドレスサーバー（ＤＮＳ１）が、目的地機械（２０）の前記名前（Ｎ）を少なくとも具備する第１パケット（ＩＰ１）を、第１ゾーンの第２アドレス（ＡＤ２，１）へ送るステップと、
−  インターフェース（ＩＮＴ）が、第１パケット（ＩＰ１）を、管理装置（２２）へ割り当てられかつ第１ゾーンの第２アドレス（ＡＤ２，１）と静的方法で関係付けられた第２ゾーンの第１アドレス（ＡＤ１，２）へ再送信するステップと、
−  管理装置（２２）が、名前（Ｎ）が第１パケット（ＩＰ１）内に現れる目的地機械（２０）へ割り当てられた第２ゾーンの第２アドレス（ＡＤ２，２）を取得するステップと、
−  管理装置（２２）が、名前およびアドレスサーバー（ＤＮＳ１）に対して目的地を定められた第２パケット（ＩＰ２）を、インターフェース（ＩＮＴ）へ送るステップと
を具備し、
第２パケット（ＩＰ２）は、第２ゾーンの第２アドレス（ＡＤ２，２）を元アドレスとして具備し、
前記方法は、
−  インターフェース（ＩＮＴ）が、第１ゾーンの第３アドレス（ＡＤ３，１）によって元アドレスを置換しながら、第２パケット（ＩＰ２）を名前およびアドレスサーバー（ＤＮＳ１）へ送るステップ
を具備し、
第３アドレス（ＡＤ３，１）は、第２アドレッシングゾーン（Ｚ２）へ割り当てられた第１ゾーン（Ｚ１）のアドレスのリスト（Ｐ）の一部を形成し、かつ、第２ゾーンの第２アドレス（ＡＤ２，２）と動的方法で関係付けられ、
前記方法は、
−  名前およびアドレスサーバー（ＤＮＳ１）が、第２パケット（ＩＰ２）を受信し、かつ、元アドレスを形成する第３アドレス（ＡＤ３，１）を第２パケット（ＩＰ２）から取り出し、かつ、第１ゾーンの第１アドレス（ＡＤ１，１）へ戻されるアドレス供給リクエスト（ＲＥＱ１）への応答（ＲＥＰ）内にこの第３アドレス（ＡＤ３，１）を具備させるステップ
を具備する
ことを特徴とする方法。
【請求項２】
名前およびアドレスサーバー（ＤＮＳ１）によって第１ゾーンの前記第２アドレス（ＡＤ２，１）へ送られる前記第１パケット（ＩＰ１）は、目的地機械（２０）の前記名前（Ｎ）に加えて、シーケンス番号（Ｓ）および／または認証キー（Ｋ）を具備する
ことを特徴とする請求項１記載の方法。
【請求項３】
名前およびアドレスサーバー（ＤＮＳ１）は、第２ゾーンの前記第２アドレス（ＡＤ２，２）と第１ゾーンの前記第３アドレス（ＡＤ３，１）との間における動的照合の最小継続期間を示す存在期間キュー（ＴＴＬ）を、応答（ＲＥＰ）内に具備する
ことを特徴とする請求項１または請求項２のいずれかに記載の方法。
【請求項４】
管理装置（２２）またはこのユニットに関係付けられる名前およびアドレスサーバー（ＤＮＳ２）は、第２パケット（ＩＰ２）がインターフェース（ＩＮＴ）へ送られる前に目的地機械（２０）の存在を確認するために、第２ゾーンの第２アドレス（ＡＤ２，２）を取得した後に目的地機械（２０）に応答指令信号を送る
ことを特徴とする請求項１から請求項３のいずれかに記載の方法。
【請求項５】
第１および第２アドレッシングゾーン（Ｚ１，Ｚ２）を有するデジタル遠距離通信ネットワークにおける名前およびアドレスサーバー（ＤＮＳ１）であって、
インターフェース（ＩＮＴ）が、第１アドレッシングゾーンと第２アドレッシングゾーンとの間におけるアドレス変換に対する要求を満たし、
前記サーバー（ＤＮＳ１）は、第１アドレッシングゾーン（Ｚ１）内に置かれ、
前記サーバー（ＤＮＳ１）は、
−  第１ゾーンの機械名とアドレスとの間における結合を記憶するデータ記憶モジュール（１４）と、
−  第１ゾーンの第１アドレス（ＡＤ１，１）から生ずるリクエスト（ＲＥＱ１）の受信に応答するように設計され、かつ、第２ゾーンのアドレス（ＡＤ２，２）を具備する第２パケットを第２ゾーンから受信し、該第２ゾーンのアドレスを第１ゾーンの第３アドレスへ置換し、該第３アドレスを前記第１アドレス（ＡＤ１，１）へ返送するように設計されたデータ処理モジュール（１２）と
を具備し、
リクエスト（ＲＥＱ１）は、第２アドレッシングゾーンに属する目的地機械（２０）の名前（Ｎ）に関するアドレスの供給のためのものであり、
該アドレスの供給は、目的地機械（２０）の前記名前（Ｎ）を少なくとも具備する第１パケット（ＩＰ１）を第１ゾーンの第２アドレス（ＡＤ２，１）へ送信することを通して行われ、
インターフェース（ＩＮＴ）が、第１パケット（ＩＰ１）を、管理装置（２２）へ割り当てられかつ第１ゾーンの第２アドレス（ＡＤ２，１）と静的方法で関係付けられた第２ゾーンの第１アドレス（ＡＤ１，２）へ再送信し、
管理装置（２２）が、前記第１パケット（ＩＰ１）が具備する前記名前（Ｎ）の目的地機械（２０）へ割り当てられたアドレス（ＡＤ２，２）を取得し、前記第２パケットをインターフェース（ＩＮＴ）へ送る
ことを特徴とする名前およびアドレスサーバー。
【請求項６】
第１アドレッシングゾーン（Ｚ１）および第２アドレッシングゾーン（Ｚ２）は、非対称的なネットワーク構成を形成する
ことを特徴とする請求項１に記載の方法。
【請求項７】
インターフェース（ＩＮＴ）は、第１アドレッシングゾーン（Ｚ１）および第２アドレッシングゾーン（Ｚ２）によって共有される
ことを特徴とする請求項１に記載の方法。
【請求項８】
第１アドレッシングゾーン（Ｚ１）はパブリックドメインであり、かつ、第２アドレッシングゾーン（Ｚ２）はプライベートドメインである
ことを特徴とする請求項１に記載の方法。
【請求項９】
第１アドレッシングゾーン（Ｚ１）および第２アドレッシングゾーン（Ｚ２）は、非対称的なネットワーク構成を形成する
ことを特徴とする請求項５に記載の名前およびアドレスサーバー。
【発明の詳細な説明】
【０００１】
【発明の属する技術分野】
本発明は、デジタル遠距離通信ネットワークにおけるアドレッシング方法に関し、かつ、そのような方法を実現する名前およびアドレスサーバーにも関する。
【０００２】
【従来の技術および発明が解決しようとする課題】
本発明は、ネットワーク接続された機械のアドレッシングの分野に属する。本発明は、より詳細には、第１アドレッシングゾーンと第２アドレッシングゾーンとを有するデジタル遠距離通信ネットワークに適用される。第１アドレッシングゾーンと第２アドレッシングゾーンとの間において、インターフェースユニットが、アドレス変換に対する要求を満たす。
【０００３】
具体的には、もし、第１ゾーンにおいて使用されるアドレッシングが第２ゾーンにおいて使用されるアドレッシングと異なるならば、一方のゾーン内に置かれる情報源機械と他方のゾーン内に置かれる目的地機械との間における通信は、２つのアドレッシングゾーンの間におけるインターフェースのレベルにおいて、これらの機械に割り当てられるアドレスの変換を特に要求する。
【０００４】
ＩＰ（「インターネットプロトコル」）アドレッシング、即ち、インターネットによって使用されるアドレス割当モードは、一般的に、低速のオンラインネットワークにおける動的タイプのアドレッシングである。
【０００５】
プライベートアドレスによって顧客と通信するインターネットサービスプロバイダ（即ち、ＩＳＰ）へ顧客が接続すると、ＩＳＰは、ＩＳＰが保持する公衆ＩＰアドレスのリストからアドレスを割り当てる。そして、顧客は、顧客に割り当てられた公衆アドレスによって、公衆ドメインと通信できる。顧客が切断するや否や、該顧客に割り当てられていたアドレスは、他のユーザーに対して再度利用可能になる。
【０００６】
この機構は、今までのところ、「一方において、変化は接続の継続期間にしばしば依存するので、かつ、他方において、ＩＳＰの顧客は自分の電話線を連絡されることが可能なように解放することを希望するので、ＩＳＰの顧客はしばしば切断する傾向がある」という事実によって、可能にされていた。
【０００７】
しかしながら、現在は、接続の継続期間の関数としてよりも、むしろ、一律料金で請求するのがトレンドであり、それによって、切断の数が減少する傾向にあると思われる。
【０００８】
更に、「電話サービスとコンサルトサービスとの同時使用を可能にする比較的最近の遠距離通信技術が存在する」ということを考慮すると、顧客は、自分の電話線を解放するために切断することをもはや必然的に強制されない。それらの技術の中には、例えば、ケーブル、または、他にＡＤＳＬ（「非対称デジタル加入者線」）リンクの実現のような分離媒体の使用が引用される。
【０００９】
経済的かつ技術的変化のそのような事情の中で、顧客は、今までのようにできるだけ頻繁に切断しなくてはならないという強制に悩むことはもはやありそうもない。この場合、顧客のＩＰアドレスを再割当するために該ＩＰアドレスを取り戻す前記技術の使用は、もはや適切ではない。
【００１０】
公衆アドレスの欠乏を改善するための問題解決として、ある条件の下では、プライベートアドレスを使用すること、即ち、顧客にプライベートアドレスを割当て、そして、ＩＳＰによって制御されるプライベートゾーンを出るときにＮＡＴ機能の援助を伴うアドレス変換を実行することが可能である。
【００１１】
ＮＡＴ、即ち、ネットワークアドレス変換機能は、一般的に、特定のローカルアドレスを使用するプライベートドメインの出口のポイントにおいてインストールされ、前記動的アドレッシングを実現する。ＮＡＴは、公衆ＩＰアドレスのリストを管理し、かつ、呼出機械のプライベートアドレスをリストから抜き取られたＩＰアドレスと照合し、かつ、ＮＡＴポイントに到着する各パケットに関するアドレス変換を実行する。該各パケットは、プライベートドメインの呼出機械から、公衆ドメインの連絡される機械へ移動する。
【００１２】
故に、連絡される機械に対しては、プライベートドメインの呼出機械のアドレスがあたかもＩＰアドレスのリスト内に具備される公衆アドレスであるかのように全てのことが発生する。
【００１３】
故に、連絡される機械は、このアドレスへの呼出機械に応答し、かつ、応答パケットがＮＡＴポイントに到着すると、ルーターは、ＩＰアドレスのリスト内に具備されるアドレスの目的地プライベートアドレスへの変換をもたらし、かつ、該パケットを、プライベートドメインにおいて、呼出機械へ送る。
【００１４】
このアドレッシングメカニズムの欠点は、「公衆アドレッシングドメインの機械が、プライベートアドレッシングドメインの機械による動作無しに、パケットをプライベートアドレッシングドメインの機械へ送ることを可能にしない」ということである。なぜならば、アドレスの照合は、動的であり、故に一時的なものであるからであり、かつ、プライベートアドレスは、ルーチングテーブルに知られていないからである。
【００１５】
更に、インターネット電話のような新たなアプリケーションのフレームワーク内では、連絡されることができるようにＩＰアドレスを処理することが現在必要である。それによって、データパケットは、対応する機械へ経路決定されることができる。
【００１６】
本発明の目的は、公衆ドメインからプライベートドメインへの通信の確立を容易にすることによって、前記欠点を解決することである。
【００１７】
【課題を解決するための手段】
前記欠点を解決するために、本発明は、第１および第２アドレッシングゾーンを有するデジタル遠距離通信ネットワークにおけるアドレッシングの方法であって、インターフェースが、第１アドレッシングゾーンと第２アドレッシングゾーンとの間におけるアドレス変換に対する要求を満たし、前記方法は、第１アドレッシングゾーン内に置かれた名前およびアドレスサーバーが、目的地機械の名前に関するアドレスを提供するためのリクエストを受信するステップを具備し、リクエストは、情報源機械へ割り当てられた第１ゾーンの第１アドレスから生じ、前記方法は、もし、目的地機械が第２アドレッシングゾーン内に置かれているならば、名前およびアドレスサーバーが、目的地機械の前記名前を少なくとも具備する第１パケットを、第１ゾーンの第２アドレスへ送るステップと、インターフェースが、第１パケットを、管理装置へ割り当てられかつ第１ゾーンの第２アドレスと静的方法で関係付けられた第２ゾーンの第１アドレスへ再送信するステップと、管理装置が、名前が第１パケット内に現れる目的地機械へ割り当てられた第２ゾーンの第２アドレスを取得するステップと、管理装置が、名前およびアドレスサーバーに対して目的地を定められた第２パケットを、インターフェースへ送るステップとを具備し、第２パケットは、第２ゾーンの第２アドレスを元アドレスとして具備し、前記方法は、インターフェースが、第１ゾーンの第３アドレスによって元アドレスを置換しながら、第２パケットを名前およびアドレスサーバーへ送るステップを具備し、第３アドレスは、第２アドレッシングゾーンへ割り当てられた第１ゾーンのアドレスのリストの一部を形成し、かつ、第２ゾーンの第２アドレスと動的方法で関係付けられ、前記方法は、名前およびアドレスサーバーが、第２パケットを受信し、かつ、元アドレスを形成する第３アドレスを第２パケットから取り出し、かつ、第１ゾーンの第１アドレスへ戻されるアドレス供給リクエストへの応答内にこの第３アドレスを具備させるステップを具備することを特徴とする方法を提案する。
【００１８】
故に、該方法は、ＮＡＴ機能と名前およびアドレスサーバー、即ち、ＤＮＳ（「ドメイン名前サーバー」）の従来機能との結合を具備する。該機能は、他のことの中から、機械名に対応するＩＰアドレスを取得することを具備する。
【００１９】
故に、本発明は、公衆アドレッシングゾーンの情報源機械がプライベートアドレッシングゾーンの目的地機械と通信するために、２つのアドレッシングゾーンの間において適切な名前とアドレスとを伝達することによって、接続を確立すること可能にする。
【００２０】
提案された問題解決は、第１ゾーンの第２アドレス（即ち、名前およびアドレスサーバーに知られた公衆アドレス）と管理装置に割り当てられたプライベートアドレスに対応する第２ゾーンのアドレスとの間における静的結合を、公衆ドメイン／プライベートドメインインターフェースのレベルにおいて維持することを具備する。
【００２１】
よりよい同期を可能にする該方法の好ましい実施形態において、名前およびアドレスサーバーによって第１ゾーンの第２アドレスへ送られる第１パケットは、目的地機械の名前に加えて、シーケンス番号を具備する。
【００２２】
送信のよりよいセキュリティを提供する該方法の好ましい実施形態において、名前およびアドレスサーバーによって第１ゾーンの第２アドレスへ送られる第１パケットは、目的地機械の名前に加えて、認証キーを具備する。
【００２３】
他の特徴によれば、前記目的を達成するために、本発明は、また、第１および第２アドレッシングゾーンを有するデジタル遠距離通信ネットワークにおける名前およびアドレスサーバーであって、インターフェースが、第１アドレッシングゾーンと第２アドレッシングゾーンとの間におけるアドレス変換に対する要求を満たし、前記サーバーは、第１アドレッシングゾーン内に置かれ、前記サーバーは、第１ゾーンの機械名とアドレスとの間における結合を記憶するデータ記憶モジュールと、第１ゾーンの第１アドレスから生ずるリクエストの受信に応答するように設計され、かつ、第２ゾーンのアドレスを具備する第２パケットの第２ゾーンからの受信の後、第２ゾーンの前記アドレスを提供する応答を前記第１アドレスへ返送するように設計されたデータ処理モジュールとを具備し、リクエストは、第２アドレッシングゾーンに属する目的地機械の名前に関するアドレスの供給のためのものであり、該アドレスの供給は、目的地機械の前記名前を少なくとも具備する第１パケットを第１ゾーンの第２アドレスへ送信することを通して行われることを特徴とする名前およびアドレスサーバーを提案する。
【００２４】
名前およびアドレスサーバーは、詳細には、名前およびアドレスサーバーがプライベートアドレッシングゾーンへのアドレッシングのためのリクエストを受信すると、名前およびアドレスサーバー自身を管理装置へ系統的にアドレッシングするという特徴を示す。
【００２５】
ＮＡＴ機能と結合して、名前およびアドレスサーバーは、目的地機械のプライベートアドレスとＩＰアドレスのリストから出る動的アドレスとの間における照合を確立し、かつ、このＩＰアドレスを情報源機械への応答として返送する。そして、情報源機械は、目的地機械に連絡できる。
【００２６】
名前およびアドレスサーバーも管理装置もネットワーク内のトラヒックの推移のポイントを構成しない。その結果、これら２つのエンティティの動作の構成および方法は、トラヒックに対するボトルネックを生成しそうもない。
【００２７】
更に、本発明は、顧客の数に関するのではなく（プライベートアドレッシングゾーンから公衆アドレッシングゾーンへ確立された）接続の数に関する多数のＩＰアドレスを処理することを可能にする。
【００２８】
【発明の実施の形態】
本発明の他の特徴と利点とは、後に続く詳細な実施形態の記述を読むと明白になる。該実施形態は、限定しない例によって与えられる。該記述は、該記述に付随する図面を参照する。該図面は以下の通りである。
−  図１は、詳細な実施形態において、本発明のアドレッシング方法の連続ステップ中に該方法を実現するために協力する様々なエンティティによって交換されるメッセージのみならず、該エンティティをも図式で図解する。
−  図２は、詳細な実施形態において、本発明による名前およびアドレスサーバーを図式で図解する。
【００２９】
限定しない例によって、本発明は、ネットワークへの該発明のアプリケーションにおいてここで記述される。該ネットワークにおいて、第１アドレッシングゾーンは、インターネットネットワークによって使用されるアドレス割当モードに基づくいわゆる「公衆」ＩＰアドレスを使用し、かつ、第２アドレッシングゾーンは、公衆アドレスとは無関係に割り当てられるいわゆる「プライベート」特有ローカルアドレスを使用する。
【００３０】
記述される問題解決は、「インターネットネットワークは、Ｖ４ ＩＰプロトコルのフォーマットにおけるアドレスを実現する」ということに基づく仮定に依存する。
【００３１】
第２アドレッシングゾーン（プライベート）の機械が第１アドレッシングゾーン（インターネット）の機械への接続を確立することを希望すると、従来のＮＡＴ機能が単に実行される。故に、一連の対応する従来のステップは、ここでは記述されない。
【００３２】
公衆ドメイン、即ち、第１アドレッシングゾーンは、「本発明が実現される」ということに関するプライベートドメイン以外のインターネットへリンクされたプライベートドメイン内に具備される機械を具備するようにここで理解される。重要なことは、「公衆アドレスが（一時的に、または、永久に）これらの機械へ割り当てられる」ということである。
【００３３】
図１によって示されるように、本発明は、公衆ドメインＺ１内に置かれた「情報源」機械１０からプライベートドメインＺ２内に置かれた「目的地」機械２０への通信を可能にするために意図される。
【００３４】
従来の方法では、情報源機械１０は、まず、情報源機械１０が知っている目的地機械２０の名前Ｎとこの機械２０のアドレスとの間における一致を検索する。
【００３５】
このことを行うために、自ら知られた方法において、公衆アドレスがＡＤ１，１である情報源機械１０が、アドレス供給リクエストＲＥＱ１を、ゾーンＺ１内に置かれた名前およびアドレスサーバーＤＮＳ１へ送信する。
【００３６】
リクエストＲＥＱ１は、特に、情報源アドレスＡＤ１，１と目的地機械の名前Ｎとを伴う習慣的な形式を示す。目的地機械の名前は、例えば、タイプ“ｔｏｔｏ．ｆｔ．ｆｒ”である。
【００３７】
そして、図１によって示されるように、名前およびアドレスサーバーＤＮＳ１は、第１データパケットＩＰ１を、ゾーンＺ１の第２アドレスＡＤ２，１（サーバーＤＮＳ１へ知られた公衆アドレス）へ送る。
【００３８】
サーバーＤＮＳ１は、名前Ｎの全てまたは一部に基づいて、「リクエストが関連プライベートドメインに関連する」ということを識別する。例えば、「名前は関連プライベートドメインに関連するサフィックス“ｆｔ．ｆｒ”を伴って終了する」ということを示すテーブルを具備することができる。それによって、そのような名前を具備するリクエストＲＥＱ１は、パケットＩＰ１のアドレスＡＤ２，１への送信の対象を形成しなくてはならない。
【００３９】
パケットＩＰ１は、プライベートネットワークの第２アドレッシングゾーンＺ２内に置かれた管理装置２２に対して目的地を定められる。プライベートアドレスＡＤ１，２が、ゾーンＺ２において、管理装置２２へ割り当てられる。
【００４０】
パケットＩＰ１は、従来のＩＰ構成を示し、かつ、特に、名前およびアドレスサーバーＤＮＳ１の公衆アドレスを情報源アドレスとして具備し、かつ、公衆アドレスＡＤ２，１を目的地アドレスとして具備し、かつ、パケットＩＰ１のデータ部分（「ペイロード」）内に、目的地機械の名前Ｎ、例えば“ｔｏｔｏ．ｆｔ．ｆｒ”を具備する。
【００４１】
オプションとして、パケットＩＰ１は、また、同期目的のために、予め決定された数のビットの形式におけるシーケンス番号Ｓを具備でき、および／または、セキュリティ目的のために、データ暗号化および／または電子署名アルゴリズムに関係付けられた公衆またはプライベート認証キーＫを具備できる。
【００４２】
ゾーンＺ１の第２アドレスＡＤ２，１は、名前およびアドレスサーバーＤＮＳ１とインターフェースＩＮＴとの両方へ知られる。インターフェースＩＮＴの基本機能は、ゾーンＺ１とゾーンＺ２との間におけるアドレスの変換を果たすことにある。
【００４３】
都合よいことに、ＩＮＴインターフェースによって果たされるアドレス変換機能は、従来タイプのルーターによって実行される。このことは、ルーターの変更を要求しない。それにもかかわらず、変形として、インターフェースＩＮＴは、本質的なエンティティを、ルーターとは無関係に形成できる。
【００４４】
ＩＮＴインターフェースが公衆アドレスＡＤ２，１へ送られたパケットＩＰ１を受信すると、ＩＮＴインターフェースは、該パケットＩＰ１を、管理装置２２へ（該管理装置２２のプライベートアドレスＡＤ１，２へ）再送信する。
【００４５】
その後、管理装置２２は、リクエストＲＥＱ２を、ゾーンＺ２の従来タイプの名前およびアドレスサーバーＤＮＳ２へ送信する。それによって、目的地機械２０の名前“ｔｏｔｏ．ｆｔ．ｆｒ”と目的地機械２０のプライベートアドレスＡＤ２，２との間における照合を確認する。故に、リクエストＲＥＱ２への応答は、例えば、タイプ“ａ．ｂ．ｃ．ｄ”のプライベートアドレスを具備する。ａとｂとｃとｄとは、ＩＰアドレスの習慣的なフォーマットに基づく十進数を示す。機械“ｔｏｔｏ．ｆｔ．ｆｒ”に対応するプライベートアドレス“１０．１０．１０．４”を任意に考える。
【００４６】
変形として、名前およびアドレスサーバーＤＮＳ２と管理装置２２とによって生成される機能は、１つのモジュール内へ、一緒にもたらされることができる。この場合、リクエストステップＲＥＱ２は分配されることができ、かつ、該１つのモジュールは、プライベートアドレス“１０．１０．１０．４”を直接取得する。
【００４７】
オプションとして、管理装置２２および／またはサーバーＤＮＳ２は、アドレスＡＤ２，２における目的地機械２０に応答指令信号を送ることができ、それによって、目的地機械２０がプライベートネットワーク上にあるか否か、即ち、アクティブでありかつ接続されているかを確認する（図１のメッセージＰＮＧ１）。もし、機械２０が存在するならば、機械２０は、承認メッセージＰＮＧ２を伴って応答する。
【００４８】
その後、管理装置２２は、インターフェースＩＮＴへ、ＩＰ２で示される第２パケットＩＰを送る。第２パケットＩＰ２は、情報源アドレスとして、目的地機械“ｔｏｔｏ．ｆｔ．ｆｒ”のプライベートアドレスＡＤ２，２（ここでは、“１０．１０．１０．４”）を具備し、かつ、目的地アドレスとして、ゾーンＺ１の名前およびアドレスサーバーＤＮＳ１の公衆アドレスを具備する。
【００４９】
第２パケットＩＰ２のデータ部分は（情報源機械１０の名前と同期のためのシーケンス番号Ｓとのような）第１パケットＩＰ１の構成要素を借りる。
【００５０】
インターフェースＩＮＴが第２パケットＩＰ２を受信すると、該インターフェースＩＮＴは、情報源アドレスＡＤ２，２を、ゾーンＺ１の第３アドレスＡＤ３，１と置換する。
【００５１】
第３アドレスＡＤ３，１は、ゾーン２へ割当てられるゾーンＺ１のＩＰアドレスのリストＰの一部を形成する。任意に、ＡＤ３，１＝“１９２．４．１４７．２”を考える。インターフェースＩＮＴは、例えば、従来のＮＡＴ機能の援助を伴って、アドレスＡＤ３，１と（インターフェースＩＮＴが受信した）情報源アドレスＡＤ２，２との間における動的結合を生成し、かつ、パケットＩＰ２を、アドレスＡＤ２，２の代わりにアドレスＡＤ３，１を伴って、名前およびアドレスサーバーＤＮＳ１へ再送信する。
【００５２】
故に、名前およびアドレスサーバーＤＮＳ１は、パケットＩＰ２の受信時に、パケットＩＰ２から第３アドレスＡＤ３，１を取り出し、かつ、該第３アドレスＡＤ３，１を、ゾーンＺ１の情報源機械１０から最初に生じたアドレス供給リクエストＲＥＱ１への応答ＲＥＰ内に、アドレスＡＤ１，１によって具備させる。
【００５３】
応答ＲＥＰは、アドレスＡＤ３，１とアドレスＡＤ２，２との間における動的結合の有効性の最小継続期間を示すデータを、自ら知られた方法で具備する。このデータは、インターフェースＩＮＴの（即ち、インターフェースの機能がルーターによって実行される場合には、ルーターの）コンフィグレーションパラメータに依存する。
【００５４】
故に、応答ＲＥＰ内にサーバーＤＮＳ１によって具備される迂回時間キュー（ＩＰプロトコルによるＴＴＬフィールド）は、目的地機械のプライベートアドレスＡＤ２，２と目的地機械の一時的な公衆アドレスＡＤ３，１との間における動的照合の最小継続期間を示すことができる。このキューは、インターフェースＩＮＴのＮＡＴ機能によって提供される。
【００５５】
そして、ゾーンＺ１の情報源機械１０は、アドレスＡＤ３，１へ送信することによって、ゾーンＺ２の目的地機械２０との接続を確立することができる。インターフェースＩＮＴのＮＡＴ機能は、要求されるアドレス変換に対する要求を満たす。
【００５６】
図２は（サーバーＤＮＳ１のような）名前およびアドレスサーバーの全体構成を図式で示す。サーバーＤＮＳ１は、上述されたタイプのアドレッシングの方法を実現するために、管理装置と協力できる。
【００５７】
図２に示される詳細な実施形態において、サーバーＤＮＳ１は、データ処理モジュール１２を具備する。データ処理モジュール１２は、到来パケット内に具備される機械名とメモリ１４内に記憶された照合テーブルから発するＩＰアドレスとの間における結合を、従来の方法で実行する。該ＩＰアドレスは、応答メッセージにおいて返送される。本発明が適用されるプライベートドメイン２１に名前が関係する場合、モジュール１２は、該パケットＩＰ１を、（メモリ１４から取得された）ゾーンＺ１の公衆アドレスＡＤ２，１へ送る。その後、目的地機械２０のアドレスＡＤ２，２と動的方法で関係付けられたアドレスＡＤ３，１を具備するパケットＩＰ２をモジュール１２が受信すると、モジュール１２は、情報源機械１０のアドレスＡＤ１，１から生ずるアドレス供給リクエストＲＥＱ１への応答ＲＥＰ内に、このアドレスＡＤ３，１を具備させる。
【図面の簡単な説明】
【図１】  詳細な実施形態において、本発明のアドレッシング方法の連続ステップ中に該方法を実現するために協力する様々なエンティティによって交換されるメッセージのみならず、該エンティティをも図式で図解する図である。
【図２】  詳細な実施形態において、本発明による名前およびアドレスサーバーを図式で図解する図である。
【符号の説明】
１０……情報源機械
２０……目的地機械
２２……管理装置
【図１】
0004472187.tif 000002
【図２】
0004472187.tif 000003